(57)【要約】【課題】携帯端末を充電装置に接続した状態で視聴を行う場合に、省電力制御を行うことができる充電システムを提供する。【解決手段】充電システム１００は、携帯端末２０と充電台８を備える。携帯端末２０は、音声信号を増幅する第１スピーカアンプ１と、第１スピーカアンプ１で増幅された音声信号を出力する第１スピーカ２と、携帯端末２０が充電台８に接続されていることを検出する検出部３と、充電台８との接続が検出された際、第１スピーカアンプ１の増幅処理を停止する制御部４と、充電台８との接続が検出された際、充電台８へ音声信号を出力する出力部５とを有する。充電台８は、出力部５から供給される音声信号を増幅する第２スピーカアンプ６と、第２スピーカアンプ６で増幅された音声信号を出力する第２スピーカ７を有する。【選択図】図１
2009071609.tif 000002
【特許請求の範囲】
【請求項１】
本体と、
音声信号を増幅する第１のスピーカアンプと、
前記第１のスピーカアンプで増幅された音声信号を出力する第１のスピーカと、
前記本体が充電装置に接続されていることを検出する検出部と、
前記検出部により前記充電装置との接続が検出された際、前記第１のスピーカアンプの増幅処理を停止する制御部と、
前記検出部により前記充電装置との接続が検出された際、前記充電装置へ音声信号を出力する出力部と、
を有する携帯端末と、
前記出力部から供給される音声信号を増幅する第２のスピーカアンプと、
前記第２のスピーカアンプで増幅された音声信号を出力する第２のスピーカと、
を有する前記充電装置と、
を備えた充電システム。
【請求項２】
請求項１に記載の充電システムであって、
前記第１のスピーカアンプは、デジタルアンプである充電システム。
【請求項３】
請求項１または２に記載の充電システムであって、
前記携帯端末は、アンテナで受信した信号の受信処理を行うための受信回路を有し、
前記制御部は、前記充電装置との接続時に、前記アンテナで受信した信号の受信電界強度が所定の閾値以上である場合、前記受信回路の利得を低減する充電システム。
【請求項４】
請求項１ないし３のいずれか１項に記載の充電システムであって、
前記携帯端末は、
複数のアンテナと、
前記複数のアンテナから受信感度が最も良好なアンテナを選択する、または、前記複数のアンテナで受信した信号を合成するダイバーシチ処理を行うためのアンテナ選択回路と、を有し、
前記アンテナ選択回路は、前記充電装置との接続時に、前記ダイバーシチ処理を停止する充電システム。
【請求項５】
請求項１ないし４のいずれか１項に記載の充電システムであって、
前記アンテナ選択回路は、受信チャンネルを切り替える際に、前記ダイバーシチ処理を再度行う充電システム。
【請求項６】
本体と、
音声信号を増幅するスピーカアンプと、
前記スピーカアンプで増幅された音声信号を出力するスピーカと、
前記本体が充電装置に接続されていることを検出する検出部と、
前記検出部により前記充電装置との接続が検出された際、前記スピーカアンプの増幅処理を停止する制御部と、
前記検出部により前記充電装置との接続が検出された際、前記充電装置へ音声信号を出力する出力部と
を有する携帯端末。
【請求項７】
携帯端末を充電するための充電用電源と、
前記携帯端末のスピーカアンプの増幅処理が停止した際、前記携帯端末から供給される音声信号を増幅するスピーカアンプと、
前記スピーカアンプで増幅された音声信号を出力するスピーカと
を有する充電装置。
【請求項８】
携帯端末において音声信号を増幅するステップと、
前記携帯端末において増幅された音声信号を出力するステップと、
携帯端末が充電装置に接続されていることを検出するステップと、
前記携帯端末と前記充電装置との接続が検出された際、前記増幅処理を停止するステップと、
前記携帯端末と前記充電装置との接続が検出された際、前記充電装置へ音声信号を出力するステップと、
前記充電装置において前記携帯端末から供給される音声信号を増幅するステップと、
前記充電装置において増幅された音声信号を出力するステップと
を備えた音声出力方法。
【発明の詳細な説明】
【技術分野】
【０００１】
本発明は、充電システム、携帯端末、充電装置、および音声出力方法に関し、特に、特にテレビ受信機能付き携帯電話を充電装置に接続した状態でテレビ視聴する場合に、省電力制御を行うことができる充電システム、携帯端末、充電装置、および音声出力方法に関する。
【背景技術】
【０００２】
携帯端末は、その消費電力を低減することが重要である。特に、電源として電池が使用されることが多く、消費電力は電池寿命に直結するため、消費電力の低減は重要な課題である。このような課題に対して、装置の増大を伴うことなく、低消費電力化を図ることが可能なデジタル放送受信機が知られている。
【０００３】
このデジタル放送受信機は、デジタル放送信号を受信し指定された局に対応する放送信号を増幅する高周波部と、当該高周波部で処理した放送信号に対して誤り訂正処理を行う誤り訂正部と、当該誤り訂正部で誤り訂正処理を行った放送信号に基づいて再生処理を行う再生処理部とを備えるとともに、前記誤り訂正処理における誤り率を検出する誤り率検出手段と、当該誤り率検出手段で検出した誤り率が予め設定した基準値を超えるとき、前記高周波部への供給電力の削減を行う供給電力削減手段と、を備えるものである。このデジタル放送受信機では、テレビ電波の受信状態が良好な場合は、高周波部への供給電力を低減し、装置全体の消費電力低減を図ることができる（例えば、特許文献１参照）。
【０００４】
【特許文献１】特開２００５−１０９９１２号公報
【発明の開示】
【発明が解決しようとする課題】
【０００５】
しかしながら、上記従来のデジタル放送受信機にあっては、充電装置接続状態でテレビ視聴する場合、テレビ視聴による電力消費によって電池充電時間が長くなる。また、充電による自己発熱に加えて、特に端末と充電台の接触部分が高温となり、テレビ視聴による回路発熱によって電池がさらに熱せられ、電池寿命が劣化するとともに、使用者がやけどする恐れもあった。
【０００６】
本発明は、上記従来の事情に鑑みてなされたものであって、携帯端末を充電装置に接続した状態で視聴を行う場合に、省電力制御を行うことができる充電システム、携帯端末、充電装置、および音声出力方法を提供することを目的としている。
【課題を解決するための手段】
【０００７】
上記目的を達成するために、本発明の第１の充電システムは、本体と、音声信号を増幅する第１のスピーカアンプと、前記第１のスピーカアンプで増幅された音声信号を出力する第１のスピーカと、前記本体が充電装置に接続されていることを検出する検出部と、前記検出部により前記充電装置との接続が検出された際、前記第１のスピーカアンプの増幅処理を停止する制御部と、前記検出部により前記充電装置との接続が検出された際、前記充電装置へ音声信号を出力する出力部と、を有する携帯端末と、前記出力部から供給される音声信号を増幅する第２のスピーカアンプと、前記第２のスピーカアンプで増幅された音声信号を出力する第２のスピーカと、有する前記充電装置と、を備えた構成としている。
【０００８】
上記構成によれば、充電装置との接続が検出された際、第１のスピーカアンプの増幅処理を停止するので、携帯端末の省電力制御を行うことができ、発熱を防止するとともに電池の充電時間を短縮することができる。また、充電装置の第２のスピーカアンプの高品質アンプを使って音質を向上することができ、さらに、回路の発熱に起因する画質、音質の乱れを防止することができる。
【０００９】
また、本発明の第２の充電システムは、前記第１のスピーカアンプが、デジタルアンプである構成としている。
【００１０】
上記構成によれば、例えば、第１のスピーカアンプにデジタルアンプを使用する際に同時にテレビ視聴を行うと無線ノイズが発生して画像が乱れることがあるが、充電装置の第２のスピーカアンプを使用することで、無線ノイズによる影響を最小限に抑えることが可能である。また、デジタルアンプを用いることで、電力効率が向上する。
【００１１】
また、本発明の第３の充電システムは、前記携帯端末が、アンテナで受信した信号の受信処理を行うための受信回路を有し、前記制御部が、前記充電装置との接続時に、前記アンテナで受信した信号の受信電界強度が所定の閾値以上である場合、前記受信回路の利得を低減する構成としている。
【００１２】
上記構成によれば、携帯端末が充電装置と接続された場合に、受信回路の利得を低減するので、携帯端末の省電力制御を行うことができるとともに、充電装置の第２のスピーカアンプから高品質の音声を出力することができる。
【００１３】
また、本発明の第４の充電システムは、前記携帯端末が、複数のアンテナと、前記複数のアンテナから受信感度が最も良好なアンテナを選択する、または、前記複数のアンテナで受信した信号を合成するダイバーシチ処理を行うためのアンテナ選択回路とを有し、前記アンテナ選択回路が、前記充電装置との接続時に、前記ダイバーシチ処理を停止する構成としている。
【００１４】
上記構成によれば、携帯端末が充電装置と接続された場合に、ダイバーシチ機能をオフし、受信感度が最も良好なアンテナを選択して動作させるので、ダイバーシチ機能を動作させるための電力を削減することができ、携帯端末の省電力制御を行うことができる。
【００１５】
また、本発明の第５の充電システムは、前記アンテナ選択回路が、受信チャンネルを切り替える際に、前記ダイバーシチ処理を再度行う構成としている。
【００１６】
上記構成によれば、チャンネル切り替え時に受信感度が最も良好なアンテナを再度選択するので、チャンネル切り替えに起因する画質、音質の乱れを防止するとともに、携帯端末の省電力制御を行うことができる。
【００１７】
また、本発明の第１の携帯端末は、本体と、音声信号を増幅するスピーカアンプと、
前記スピーカアンプで増幅された音声信号を出力するスピーカと、前記本体が充電装置に接続されていることを検出する検出部と、前記検出部により前記充電装置との接続が検出された際、前記スピーカアンプの増幅処理を停止する制御部と、前記検出部により前記充電装置との接続が検出された際、前記充電装置へ音声信号を出力する出力部とを有する構成としている。
【００１８】
上記構成によれば、充電装置との接続が検出された際、スピーカアンプの増幅処理を停止するので、携帯端末の省電力制御を行うことができ、発熱を防止するとともに電池の充電時間を短縮することができる。
【００１９】
また、本発明の第１の充電装置は、携帯端末を充電するための充電用電源と、前記携帯端末のスピーカアンプの増幅処理が停止した際、前記携帯端末から供給される音声信号を増幅するスピーカアンプと、前記スピーカアンプで増幅された音声信号を出力するスピーカとを有する構成としている。
【００２０】
上記構成によれば、携帯端末から供給される音声信号を増幅するスピーカアンプに高品質アンプを使って音質を向上することができる。
【００２１】
また、本発明の第１の音声出力方法は、携帯端末において音声信号を増幅するステップと、前記携帯端末において増幅された音声信号を出力するステップと、携帯端末が充電装置に接続されていることを検出するステップと、前記携帯端末と前記充電装置との接続が検出された際、前記増幅処理を停止するステップと、前記携帯端末と前記充電装置との接続が検出された際、前記充電装置へ音声信号を出力するステップと、前記充電装置において前記携帯端末から供給される音声信号を増幅するステップと、前記充電装置において増幅された音声信号を出力するステップとを備えた方法としている。
【００２２】
上記方法によれば、例えば、充電装置と携帯端末との接続が検出された際、第１のスピーカアンプの増幅処理を停止するので、携帯端末の省電力制御を行うことができ、発熱を防止するとともに電池の充電時間を短縮することができる。また、例えば、充電装置の第２のスピーカアンプの高品質アンプを使って音質を向上することができ、さらに、回路の発熱に起因する画質、音質の乱れを防止することができる。
【発明の効果】
【００２３】
以上説明したように、本発明にかかる充電システム、携帯端末、充電装置、および音声出力方法によれば、充電装置との接続が検出された際、第１のスピーカアンプの増幅処理を停止するので、携帯端末の省電力制御を行うことができ、発熱を防止するとともに電池の充電時間を短縮することができる。また、充電装置の第２のスピーカアンプに高品質アンプを使って音質を向上することができ、さらに、回路の発熱に起因する画質、音質の乱れを防止することができる。
【発明を実施するための最良の形態】
【００２４】
本発明の実施形態にかかる充電システム、携帯端末、充電装置、および音声出力方法について、図面を参照して以下に説明する。
【００２５】
図１は、本発明の実施形態にかかる充電システム１００の構成の一例を示すブロック図である。充電システム１００は、電池を内蔵した携帯端末２０とその電池を充電する充電台８とを有して構成される。
【００２６】
携帯端末２０は、第１スピーカアンプ１と、第１スピーカ２と、検出部３と、制御部４と、出力部５と、第１アンテナ１０と、第２アンテナ１１と、アンテナ選択回路１２と、受信回路１３と、復調回路１４と、ＤＳＰ（Ｄｉｇｉｔａｌ  Ｓｉｇｎａｌ  Ｐｒｏｃｅｓｓｏｒ）（信号処理部）１５と、Ｄ／Ａ（Ｄｉｇｉｔａｌ／Ａｎａｌｏｇ）コンバータ１６と、ＬＣＤ（ＬｉｑｕｉｄＣｒｙｓｔａｌ Ｄｉｓｐｌａｙ）１７と、を有して構成される。携帯端末と２０としては、携帯電話や携帯情報端末（ＰＤＡ）等が考えられる。
【００２７】
尚、携帯端末２０の筺体は「本体」の一例である。また、充電台８は「充電装置」の一例である。
【００２８】
第１スピーカアンプ１は、Ｄ／Ａコンバータ１６から供給されるアナログ音声信号を増幅するとともに、充電台８が接続された場合は制御部４からの制御信号に基づき、増幅処理を停止する。ここでは第１スピーカアンプ１として、アナログアンプやデジタルアンプを用いる。ここで、アナログアンプ（ＡＢ級）およびデジタルアンプ（Ｄ級）の比較表の一例を表１に示す。
【００２９】
【表１】
2009071609.tif 000003
【００３０】
表１より、デジタルアンプを使用する場合には無線ノイズが発生しやすくなることが理解できる。例えば、テレビ視聴を行う場合にデジタルアンプを使用すると、無線ノイズが発生して画像が乱れることがある。このような場合であっても、充電台８の第２スピーカアンプ６を使用することで、無線ノイズによる影響を最小限に抑えることが可能である。また、デジタルアンプを用いることで、電力効率が向上する。
【００３１】
第１スピーカ２は、第１スピーカアンプ１から供給される音声信号により音声を出力する。
【００３２】
検出部３は、携帯端末２０が充電台８に接続されていることを検出し、検出信号を制御部４に出力する。
【００３３】
制御部４は、信号処理や省電力制御等を行う。例えば、制御部４は、アンテナ選択回路１２を制御するとともに、検出部３により充電台８との接続が検出された際、第１スピーカアンプ１の増幅処理を停止させる。また、制御部４は様々な制御信号を送信する。
【００３４】
出力部５は、検出部３により充電台８との接続が検出された際、Ｄ／Ａコンバータ１６から供給される音声信号を充電台８へ出力する。
【００３５】
第１アンテナ１０および第２アンテナ１１は、各種データの送受信を行う。
【００３６】
アンテナ選択回路１２は、ダイバーシチ機能を備える第１アンテナ１０および第２アンテナ１１の信号（電波）の受信感度に応じて、通信に利用するアンテナを選択する。また、アンテナ選択回路１２は、第１アンテナ１０および第２アンテナ１１の信号を例えば位相を揃えて合成可能となるようにアンテナを選択してもよい。これにより、選択ダイバーシチ受信や合成ダイバーシチ受信が可能となる。また、アンテナ選択回路１２は、充電台８との接続時に、ダイバーシチ機能をオフし、受信感度が最も良好なアンテナを選択して動作させるとともに、チャンネル切り替え時には受信感度が最も良好なアンテナを再度選択する。
【００３７】
受信回路１３は、アンテナ選択回路１２からの信号について受信処理を行う。例えば、受信回路１３は、アンテナ選択回路１２が選択したアンテナの高周波信号を受信して増幅するとともに、充電台８との接続中には、制御部４からの制御信号に基づいて高周波信号に対する利得を低減する。
【００３８】
復調回路１４は、受信回路１３から供給される高周波信号を復調して低周波信号を生成する。
【００３９】
ＤＳＰ１５は、受信回路１３から供給される低周波信号から映像信号と音声信号を分離し、映像信号および音声信号をそれぞれ高速に処理する。
【００４０】
Ｄ／Ａコンバータ１６は、ＤＳＰ１５から供給されるデジタル音声信号をアナログ音声信号に変換する。
【００４１】
ＬＣＤ１７は、ＤＳＰ１５から映像信号を供給され、映像を表示する。
【００４２】
また、充電台８は、第２スピーカアンプ６と、第２スピーカ７と、充電用電源９を有して構成される。
【００４３】
第２スピーカアンプ６は、携帯端末２０の出力部５から供給される音声信号を増幅する。
【００４４】
第２スピーカ７は、第２スピーカアンプ６から供給される音声信号により音声を出力する。
【００４５】
充電用電源９は、携帯端末２０に内蔵される電池を充電するための電源である。
【００４６】
次に、図２〜図５において充電システム１００の動作の一例を示し、各ステップについて説明する。図２は、携帯端末２０と充電台８との接続を検出した場合に、携帯端末２０の第１スピーカアンプ１を停止する動作の一例を説明するためのフローチャートである。
【００４７】
まず、ステップＳ１０１では、携帯端末２０に充電台８が接続されていない場合、第１スピーカ２が、音声を出力する。
【００４８】
続いて、ステップＳ１０２では、検出部３が、携帯端末２０に充電台８が接続されているかどうか検出部３が判断する。充電台８の接続が検出された場合（Ｙｅs）は次のステップＳ１０３に移行し、充電台８の接続が検出されない場合（Ｎｏ）はステップＳ１０１に戻る。
【００４９】
続いて、ステップＳ１０３では、携帯端末２０と充電台８の接続が検出された場合、制御部４が、第１スピーカアンプ１を停止する。
【００５０】
続いて、ステップＳ１０４では、制御部４が、携帯端末２０の出力部５をオンし、充電台８への音声信号の出力を開始する。
【００５１】
続いて、ステップＳ１０５では、第２スピーカ７が、音声を出力する。
【００５２】
図２の処理を行う充電システム１００によれば、携帯端末２０と充電台８との接続が検出された際、携帯端末２０の第１スピーカアンプ１の増幅処理を停止するので、携帯端末２０の省電力制御を行うことができ、発熱を防止するとともに電池の充電時間を短縮することができる。また、充電台８の第２スピーカアンプに高品質アンプを使って音質を向上することができ、さらに、回路の発熱に起因する画質、音質の乱れを防止することができる。
【００５３】
図３は、携帯端末２０と充電台８の接続を検出した場合に、受信回路１３の利得を低減する動作の一例を説明するためのフローチャートである。尚、図２と同様の処理を行うステップには同一のステップ番号を付し、説明を省略する。
【００５４】
まず、携帯端末２０は、ステップＳ１０１〜Ｓ１０５の処理を行う。
【００５５】
続いて、ステップＳ２０６では、復調部１４が、受信回路１３を介して供給されるアンテナで受信した信号の受信電界強度が所定のしきい値以上かどうか判断する。受信電界強度がしきい値以上の場合（Ｙｅｓ）は次のステップＳ２０７に移行し、受信電界強度がしきい値以上でない場合（Ｎｏ）はステップＳ１０５に戻る。
【００５６】
続いて、ステップＳ２０７では、制御部４が、受信回路１３の利得を低減する。
【００５７】
続いて、ステップＳ２０８では、第２スピーカ７が、音声を出力する。
【００５８】
図３の処理を行う充電システム１００によれば、携帯端末２０と充電台８との接続が検出された際、携帯端末２０の第１スピーカアンプ１の増幅処理を停止するので、携帯端末２０の省電力制御を行うことができ、発熱を防止するとともに電池の充電時間を短縮することができる。また、受信電界強度がしきい値以上の場合に、制御部４が受信回路１３の利得を低減するので、受信回路１３の動作電力を削減し、携帯端末２０の省電力制御を行うことができる。
【００５９】
図４は、携帯端末２０と充電台８の接続を検出した場合に、受信電界強度を比較してアンテナ選択回路１２を停止する動作の一例を説明するためのフローチャートである。尚、図２と同様の処理を行うステップには同一のステップ番号を付し、説明を省略する。
【００６０】
まず、携帯端末２０は、ステップＳ１０１〜Ｓ１０５の処理を行う。
【００６１】
続いて、ステップＳ３０６では、制御部４が、経過時間を計測するタイマー処理（例：1秒間）を行う。
【００６２】
続いて、ステップＳ３０７では、制御部４が、第１アンテナ１０と第２アンテナ２（１１）の受信電界強度を比較する。
【００６３】
続いて、ステップＳ３０８では、制御部４が、アンテナ選択回路１２を停止し、受信電界強度が大きいアンテナに固定する。
【００６４】
続いて、ステップＳ３０９では、復調部１４が、受信電界強度がしきい値以上かどうか判断する。受信電界強度がしきい値以上の場合（Ｙｅｓ）は次のステップＳ３１０に移行し、受信電界強度がしきい値以上でない場合（Ｎｏ）はステップＳ１０５に戻る。
【００６５】
続いて、ステップＳ３１０では、制御部４が、受信回路１３の利得を低減する。
【００６６】
続いて、ステップＳ３１１では、第２スピーカ７が、音声を出力する。
【００６７】
図４の処理を行う充電システム１００によれば、携帯端末２０が充電台８と接続された場合に、ダイバーシチ機能をオフし、受信感度が最も良好なアンテナに固定してアンテナ選択回路１２を停止するので、ダイバーシチ機能を動作させるための電力を削減することができ、携帯端末２０の省電力制御を行うことができる。また、受信電界強度がしきい値以上の場合に、制御部４が受信回路１３の利得を低減するので、受信回路１３の動作電力を削減し、携帯端末の省電力制御を行うことができる。
【００６８】
尚、図４では選択ダイバーシチを行うことを説明したが、合成ダイバーシチを行うようにしてもよい。
【００６９】
図５は、携帯端末２０と充電台８の接続を検出した場合に、受信チャンネルを変更する場合の動作の一例を説明するためのフローチャートである。尚、図２と同様の処理を行うステップには同一のステップ番号を付し、説明を省略する。
【００７０】
まず、携帯端末２０は、ステップＳ１０１〜Ｓ１０５の処理を行う。
【００７１】
続いて、ステップＳ４０６では、経過時間を計測するタイマー処理（例：１秒間）を行う。
【００７２】
続いて、ステップＳ４０７では、制御部４が、第１アンテナ１０と第２アンテナ１１の受信電界強度を比較する。
【００７３】
続いて、ステップＳ４０８では、制御部４が、アンテナ選択回路１２を停止し、受信電界強度の大きいアンテナに固定する。
【００７４】
続いて、ステップＳ４０９では、制御部４が、受信チャンネルの変更が有るかどうか判断する。受信チャンネルの変更が有る場合（Ｙｅｓ）はステップＳ１０５に戻り、受信チャンネルの変更がない場合（Ｎｏ）は次のステップＳ４１０に移行する。
【００７５】
続いて、ステップＳ４１０では、復調部１４が、受信電界強度がしきい値以上かどうか判断する。受信電界強度がしきい値以上の場合（Ｙｅｓ）は次のステップＳ４１１に移行し、受信電界強度がしきい値以上でない場合（Ｎｏ）はステップＳ１０５に戻る。
【００７６】
続いて、ステップＳ４１１では、制御部４が、受信回路１３の利得を低減する。
【００７７】
続いて、ステップＳ４１２では、第２スピーカ７が、音声を出力する。
【００７８】
図５の処理を行う充電システム１００によれば、チャンネル切り替え時に受信感度が最も良好なアンテナを再度選択するので、チャンネル切り替えに起因する画質、音質の乱れを防止するとともに、携帯端末２０の省電力制御を行うことができる。
【００７９】
尚、図５の処理は、例えばＴＶ視聴を行っている際に、受信チャンネルの変更がある度に反復して行われるようにしてもよい。
【００８０】
このような充電システム１００によれば、携帯端末２０に内蔵される電池を充電するための充電台８に第２スピーカ７および第２スピーカアンプ６を搭載し、携帯端末２０を充電台８へ接続している時は自動的に携帯端末２０の第１スピーカアンプ１をオフし、充電台８の第２スピーカ７からテレビ音声を出力するよう切り替えることで、携帯端末２０の電力消費を低減すると同時に、携帯端末２０の回路の発熱を低減することができる。
【００８１】
また、充電台８と携帯端末２０とを接続した状態でテレビ視聴する際には、携帯端末２０の第１スピーカアンプ１がオフしていること、および、定点受信状態であるためテレビ電波の受信強度が安定していることを利用し、受信回路１３の感度を低減することで、携帯端末２０の電力消費を低減すると同時に、携帯端末２０の回路の発熱を低減することができる。
【００８２】
さらに、携帯端末２０を充電台８へ接続した状態でテレビ視聴する際には、携帯端末２０の第１スピーカアンプ１がオフしていること、また、定点受信状態であるためテレビ電波の受信強度が安定していることを利用し、受信感度が最も良好なアンテナ1系統のみで受信している状態でアンテナ選択回路１２を停止することで、アンテナ選択回路１２とダイバーシチ処理に要する電力を削減すると同時に、携帯端末２０の回路発熱を低減することができる。
【００８３】
また、ユーザーの指示によってテレビ視聴する受信チャンネルが切り替えられた場合は、アンテナ選択回路１２を再起動し、例えば最も受信感度が良好なアンテナを検出、選定し、その後アンテナ選択回路１２を停止するので、チャンネル切り替えに起因する画質、音質の乱れを防止するとともに、携帯端末２０を省電力化することができる。
【００８４】
尚、ここではテレビ視聴を行う場合について主に説明したが、ラジオ視聴やその他の受信コンテンツの視聴を行う場合に適用することも可能である。
【産業上の利用可能性】
【００８５】
本発明は、携帯端末を充電装置に接続した状態で視聴を行う場合に、省電力制御を行うことができる充電システム、携帯端末、および充電装置等として有用である。
【図面の簡単な説明】
【００８６】
【図１】本発明の実施形態にかかる充電システムの構成の一例を示すブロック図
【図２】本発明の実施形態にかかる携帯端末と充電台の接続を検出した場合に、携帯端末の第１スピーカアンプを停止する動作の一例を説明するためのフローチャート
【図３】本発明の実施形態にかかる携帯端末と充電台の接続を検出した場合に、受信回路の利得を低減する動作の一例を説明するためのフローチャート
【図４】本発明の実施形態にかかる携帯端末と充電台の接続を検出した場合に、受信電界強度を比較してアンテナ選択回路１２を停止する動作の一例を説明するためのフローチャート
【図５】本発明の実施形態にかかる携帯端末と充電台の接続を検出した場合に、受信チャンネルを変更する場合の動作の一例を説明するためのフローチャート
【符号の説明】
【００８７】
１  第１スピーカアンプ
２  第１スピーカ
３  検出部
４  制御部
５  出力部
６  第２スピーカアンプ
７  第２スピーカ
８  充電台
９  充電用電源
１０  第１アンテナ
１１  第２アンテナ
１２  アンテナ選択回路
１３  受信回路
１４  復調回路
１５  ＤＳＰ
１６  Ｄ／Ａコンバータ
１７  ＬＣＤ
２０  携帯端末
１００  充電システム
【図１】
2009071609.tif 000004
【図２】
2009071609.tif 000005
【図３】
2009071609.tif 000006
【図４】
2009071609.tif 000007
【図５】
2009071609.tif 000008